(57)【特許請求の範囲】
【請求項１】
筒部がない履き口部のある靴において、
紐状、ベルト状、リング状、リボン状、布状またはバンド状の取り外し自在の足と靴を固定するものを、取り付ける取付部を有した靴であって、
前記取付部の形状は、平面形状、筒状またはリング状のループ形状、
並びに切り込みまたは穴の形状、のうちのいずれか１つ以上の形状であって、
前記取付部と靴との取り付け方は、前記紐状、ベルト状、リング状、リボン状、布状またはバンド状の取り外し自在の足と靴を固定するものを、差し入れる出入口を設けるため、
前記平面形状は、両端の二箇所以上を靴内部に取り付け、
前記筒状またはリング状のループ形状は、一箇所以上を靴内部に取り付け、
前記切り込みまたは穴の形状は、靴内部側面の内側の層または靴内部底面の内側の層に設けており、
かつ、前記取付部の構造は、前記紐状、ベルト状、リング状、リボン状、布状またはバンド状の取り外し自在の足と靴を固定するものが、取り外し自在に貫通する構造であって、
前記取付部の取り付け位置は、靴の外側に出ない位置で、甲被前方以外の靴内部の、底面端部から最短の側面下部までの範囲と、側面上部の範囲の、二箇所以上であって、
かつ左右対称に取り付けられた取付部を設けたことを特徴とする、
筒部がない履き口部のある靴。
【請求項２】
筒部がない履き口部のある靴において、
紐状、ベルト状、リング状、リボン状、布状またはバンド状の取り外し自在の足と靴を固定するものを、取り付ける取付部を有した靴であって、
前記取付部の形状は、前記紐状、ベルト状、リング状、リボン状、布状またはバンド状の
取り外し自在の足と靴を固定するものを、差し入れる出入口を設けるため、
切り込みまたは穴を、二個一組として設けた形状であって、
かつ、前記取付部の構造は、前記紐状、ベルト状、リング状、リボン状、布状またはバンド状の取り外し自在の足と靴を固定するものが、取り外し自在に貫通する構造であって、
前記取付部の取り付け位置は、甲被前方以外の靴内部側面の内側の層の、靴の外側に出ない位置であって、
前記取付部の数は、一方側面において二組以上とし、かつ、他方側面にも左右対称に同じく二組以上の取付部を設けたことを特徴とする、
筒部がない履き口部のある靴。
【発明の詳細な説明】
【技術分野】
【０００１】
本発明は履物及びインソールに関する。
【背景技術】
【０００２】
従来の履物は履きやすくするために、外部に靴紐を設けたり、外部の穴等に靴紐を挿入して履いたり、外部にシューズバンドやシューズベルト等を利用して履いている。また履物を装飾するために履物外部にアクセサリーをつけるなどしている。
【先行技術文献】
【特許文献】
【０００３】
【特許文献１】意匠登録第１４５７０９４号
【発明の概要】
【発明が解決しようとする課題】
【０００４】
しかし履物外部に靴紐を設けたり、外部の穴等を設けて靴紐を挿入する場合は、靴紐を簡単に取り外しできる状況ではないため、履物のデザインが固定化されてしまう。シューズバンド等を利用する場合は、履物表面が摩擦ですり切れシューズバンド等も地面近くに位置し汚れて不衛生である。取り外し可能なアクセサリーの装着は、クリップなどを用いるため取れやすく履物表面をいためることがある。またその他の履物部品や履物関連製品に関しては、履物外部に取り付ける場所がなく取り付けられない。
以上のように従来の履物外部の利用については一定の役割を果たしてはいるもののデメリットもあり、履物のデザインを多様化したり、靴の履きやすさや利便性・さらなる利用法の可能性を追求するには限界がある。
反対に履物内部は製品タグや商品ロゴ等をつける以外には利用されていない。そこで履物内部をうまく利用し、履物部品や履物関連製品を手軽に取り付けることで、サイズの問題、デザインの問題、外反母趾や足と履物との相性等、様々な課題を解決しうる方法として本発明を考案した。
【課題を解決するための手段】
【０００５】
筒部がない履き口部のある靴において、
紐状、ベルト状、リング状、リボン状、布状またはバンド状の取り外し自在の足と靴を固定するものを、取り付ける取付部を有した靴であって、
前記取付部の形状は、平面形状、筒状またはリング状のループ形状、
並びに切り込みまたは穴の形状、のうちのいずれか１つ以上の形状であって、
前記取付部と靴との取り付け方は、前記紐状、ベルト状、リング状、リボン状、布状またはバンド状の取り外し自在の足と靴を固定するものを、差し入れる出入口を設けるため、
前記平面形状は、両端の二箇所以上を靴内部に取り付け、
前記筒状またはリング状のループ形状は、一箇所以上を靴内部に取り付け、
前記切り込みまたは穴の形状は、靴内部側面の内側の層または靴内部底面の内側の層に設けており、
かつ、前記取付部の構造は、前記紐状、ベルト状、リング状、リボン状、布状またはバンド状の取り外し自在の足と靴を固定するものが、取り外し自在に貫通する構造であって、
前記取付部の取り付け位置は、靴の外側に出ない位置で、甲被前方以外の靴内部の、底面端部から最短の側面下部までの範囲と、側面上部の範囲の、二箇所以上であって、
かつ左右対称に取り付けられた取付部を設ける。
【０００６】
筒部がない履き口部のある靴において、
紐状、ベルト状、リング状、リボン状、布状またはバンド状の取り外し自在の足と靴を固定するものを、取り付ける取付部を有した靴であって、
前記取付部の形状は、前記紐状、ベルト状、リング状、リボン状、布状またはバンド状の
取り外し自在の足と靴を固定するものを、差し入れる出入口を設けるため、
切り込みまたは穴を、二個一組として設けた形状であって、
かつ、前記取付部の構造は、前記紐状、ベルト状、リング状、リボン状、布状またはバンド状の取り外し自在の足と靴を固定するものが、取り外し自在に貫通する構造であって、
前記取付部の取り付け位置は、甲被前方以外の靴内部側面の内側の層の、靴の外側に出ない位置であって、
前記取付部の数は、一方側面において二組以上とし、かつ、他方側面にも左右対称に同じく二組以上の取付部を設ける。
【発明の効果】
【０００７】
履物内部に、靴紐類を含む様々な履物部品・履物関連製品等を取り付けるための取付部を設けることで、自身の足にあわせて履物をカスタマイズでき、さらにデザインの自由度が高まり、履物の快適・便利・多様な履き方が可能となる。具体例としては履物内部の取付部に靴紐を取り付けて脱げにくく歩きやすくする、様々な靴紐類やアクセサリー類を結び付けて飾る、足つぼグッズ等をつけて足を刺激させる、外反母趾対策用・足ずれ対策用等のクッションやインソール、パット等をつけて快適に履くなどである。そして履物部品・履物関連製品等はほとんど取り外し自在なので、適時、最適な履物関連製品を選んで取り付けられるメリットは大きい。  
【図面の簡単な説明】
【０００８】
【図１】履物内部の長手方向の中央部に設けた取付部に靴紐を通した平面図
【図２−ａ】図１の左側面を右方向から見た拡大斜視図
【図２−ｂ】図２−ａの側面部に異なる取付部を設けた拡大斜視図
【図２−ｃ】図２−ａの取付部の間にさらに異なる取付部を設けた拡大斜視図
【図２−ｄ】図２−ｃの取付部を紐状に変更して数も増やした拡大斜視図
【図２−ｅ】図１の取付部の別の形の一例の拡大平面図
【図２−ｆ】図１の取付部の別の形の一例の拡大平面図
【図２−ｇ】ホックを利用した取付部の拡大斜視面図
【図３】図１におけるＡ−Ａ線及びＣ−Ｃ線の断面図
【図４】図１におけるＢ−Ｂ線の断面図
【図５】図１にアクセサリーをつけた後、履物を履いた斜視図
【図６】図１の履物内部外側の取付部をかかとよりにずらした平面図
【図７−ａ】履物内部足指付け根付近に設けた取付部に靴紐を通した平面図
【図７−ｂ】履物内部の取付部に布・皮類や防寒具等を設けた平面図
【図７−ｃ】図７−ｂに利用可能な筒状の防寒具等の斜視図
【図７−ｄ】図７−ｂに利用可能な方形の布・皮等や防寒具等の平面図
【図８−ａ】履物内部側面に設けた取付部に靴紐類を交差して取り付けた平面図
【図８−ｂ】留め具・ひっかかり部を設けた靴紐の一例
【図８−ｃ】履物前部内部側面最上部と最後部かかと部内部側面最上部の４つ取付部の平面図
【図８−ｄ】履物前部内部側面最上部と最後部かかと部内部側面最上部の２つの取付部の平面図
【図９−ａ】布・皮等の防寒具等を内部側面上部4カ所の取付部に差し入れた平面図
【図９−ｂ】図９−ａの取付部のかわりに底面境界部付近に取付部を設けた平面図
【図９−ｃ】図９−ａの取付部に布・皮等や防寒具類を取り付けた斜視図
【図９−ｄ】底面端部に取付部を設けて靴紐類を通した斜視図
【図１０】履物側面上部の外側２カ所、内側１カ所の取付部を設けた左右両履物の平面図
【図１１】図１の側面上部取付部を切り込みにし長い靴紐等を通して手繰っている斜視図
【図１２−ａ】履物内部の踵後部の取付部にアンクルストラップや靴紐等を通した斜視図
【図１２−ｂ】図１２−ａの取付部をさらに大きくて靴紐等を通した斜視図
【図１２−ｃ】図１２−ａの取付部を上下に開口部を設け縦型にした使用例図
【図１３】図１２−ａの切込みや穴の取付部にアンクルストラップや靴紐を通した斜視図
【図１４】靴底面部の長手方向中央部とかかと部に取付部を設けて靴紐を入れた平面図
【図１５−ａ】履物内部側面上部と側面と底面の境界部付近の全周囲の取付部の平面図
【図１５−ｂ】図１５−ａの左側面部を右側から見た斜視図
【図１５−ｃ】図１５−ｂの取付部を太い１本の取付部にして右側から見た斜視図
【図１６−ａ】履物内部側面と底面の境界部付近の全周囲に垂直に設けた取付部の平面図
【図１６−ｂ】図１6−ａの取付部の左側面を右側から見た拡大斜視図
【図１６−ｃ】図１6−ａの取付部をかかと部に縮小して円形に設けた取付部の平面図
【図１７】履物内部の長手方向中央部に横１本の取付部を設け靴紐をからませた平面図
【図１８−ａ】図１７−ａの取付部の一例の平面図
【図１８−ｂ】図１７−ａの取付部の一例の平面図
【図１９−ａ】履物内部底面の横手方向中央部の縦長の取付部に靴紐を通した平面図
【図１９−ｂ】履物底面部の長手方向に３本設けた取付部に靴紐を通した平面図
【図２０−ａ】履物内側面上部と側面と底部の境界部付近のリング状取付部の拡大斜視図
【図２０−ｂ】図２０−ａのリング状取付部の一部に隙間をあけた取付部の拡大斜視図
【図２０−ｃ】図２０−ｂの取付部をさらに薄くした例の拡大図
【図２０−ｄ】図２０−ａの一部に隙間をあけた取付部の拡大図
【図２１−ａ】靴紐先端部のひっかかり部を履物内部左側面の穴や切り込みの取付部に入れ右方向からみた拡大斜視図
【図２１−ｂ】図２１−ａの靴紐を履物内部左側面の袋状やポケット状の取付部に入れ右方向から見た拡大斜視図
【図２２】図１の取付部を底面部の短手方向に連続して設けた拡大斜視図
【図２３−ａ】かかと部中央に面ファスナーを利用した取付部等を設けた平面図
【図２３−ｂ】図２３−ａの面ファスナー部分の拡大図
【図２３−ｃ】図２３−ａの取付部の左右にさらに取付部を設けた平面図拡大図
【図２４】取付部をつけたインソールの平面図
【図２５】側面部とかかと部があり、取付部を設けたインソールの平面図
【図２６】楕円形の取付部を設けたインソールの平面図
【図２７】靴内部底面中央に直線状の取付部を数個設けた平面図
【図２８−ａ】上下が開口している筒状取付部の拡大図
【図２８−ｂ】左右が開口している筒状取付部の拡大図
【図２８−ｃ】図２８−ａの取付部を取り付けた事例の拡大図
【図２８−ｄ】図２８−ｂの取付部を取り付けた事例の拡大図
【図２８−ｅ】リング状の取付部を取り付けた側面図
【図２９】サンダルやスリッパ等の底面に取付部を設けた平面図
【図３０】サンダルやスリッパ等の底部側面の取付部の斜視図
【図３１】靴紐にも利用できる取付部のついているインソールの平面図
【図３２】靴紐にも利用できる取付部のついている履物の平面図
【発明を実施するための形態】
【０００９】
図１の実施例は皮靴の長手方向の中央部に細長い長方形の取付部１を４カ所設けたものである。短手方向でいうと靴内部底面２と靴内部左右両側面３の境界部付近の２カ所と、靴内部左右両側面３の最上部２カ所の合計４カ所となるが、靴内部の底部２の左右両端部の２カ所や靴内部左右両側面３の最上部２カ所の合計４カ所でもよい。内部両側面３の位置は側面であれば特に限定されないがなるべく上部が望ましい。
取付部１の取り付け方は、靴の左部分を示す図２―ａのように、靴本体の長手方向に並行に２つ置き、その両端を靴本体に縫い付けて固定する。接着剤を使用してもよい。図２−ａでは左右に靴紐４を通しているが、履いた際は上下に靴紐４を通す状態となる。さらに靴内部の右側面３においても左側面３と同様に取付部を２カ所設け、もう一方の靴にも同様に合計４カ所の取付部を設けるので、取付部１は靴全体で全合計８カ所となる。
その後、取付部１と靴本体との隙間は両方の靴では８カ所となるが、そこに靴紐４を入れて図５のように履いた後、足５の甲近くで結ぶなどして固定する。このようにして靴内部に取付部を設け、靴紐４を取り付けられるようにした。図５ではさらに一例として星形のアクセサリー１１を取付部１に固定している。
取付部を内部に設けることは、従来の靴内部にも様々なロゴやタグ等があったが違和感がないため問題ないと思われる。特にこの位置であれば足が最も当たりにくく靴紐を結ぶには最適で、実際試用しても問題なかった。このような取付部を履物内部に設けた靴や履物が本発明であるが、それにより様々にはきやすく工夫して利用できる。またそのような取付け部のあるインソールも、そのインソールをとりつけた履物も本発明となる。
【００１０】
図３は図１におけるＡ−Ａ線及びＣ−Ｃ線の断面図で構造をわかりやすく表現した図である。取付部１と履物本体７の間は靴紐４が挟まれていないので密着している。図４は図１におけるＢ−Ｂ線の断面図である。取付部１と履物本体の間に靴紐４が存在している。
【００１１】
靴紐４の通し方は、取付部１全てに通すのが基本であるが一部に通す方法もある。例えば図１で言えば、内部底面２の両端部付近あるいは内部側面３と底面２の両境界部付近のみに通す方法もあり、その場合は靴側面と足とは接しにくく不安定に思えるが、靴内部まで空気が通りやすいメリットがある。また履物内部の両側面３の２カ所のみに通す方法では、靴に足をいれたまま簡単に靴紐４を通せるメリットがある。いずれにせよ全てに通す方法が取付部１への負荷が少なく足と履物もフィットしやすい。
【００１２】
履物や取付部１の素材は特に限定されず他の素材でもよいが、実施例は皮靴なので取付部１もそれに合わせて靴と同色の薄いなめし皮を用いており、そうすることで目立ちにくく強度も確保できる。また目立たなくするという意味では透明の紐状の繊維等、例えばテグスなどを利用する方法もある。また靴紐４の素材も特に限定されないが、靴内部と同色の伸縮性のあるゴム状の繊維を選んでいるので、靴紐部分４が伸び縮みし取付部１へかかる負担が少なくて済む。また同じく透明のものを利用する方法もある。また実施例以外とは異なるが、強度を高めるためには図２-ｅや図２-ｆの形状の取付部であれば、広がった円形部分や三角部分が履物本体に縫い付けたり接着させる面となり、長方形の取り付け部分より広くなるため、強力に固定できる。靴紐については特にこだわらない。また図１の取付部１に図２８−ｂのような筒状の取付部１を利用し、その一面を履物本体に固定すると、より強固な取付部となるが、その場合取付部の厚みが２倍となるので素材の厚さが課題となる。
【００１３】
図１の取付部１の大きさは限定しないが、この実施例では横１ミリから１０ミリで縦５ミリから３０ミリくらいの紐や細長い長方形が適当である。しかし図２―ｂのように、側面３に例えば１〜３センチ前後の方形の幅広い取付部１を両端を縫い付けるなどして設けることもできる。その際は取付部１の安定感は増すが靴紐４が通しにくくなる。そのため靴紐４の先端を硬くしたり、細くする方法がある。また図１の履物内部の左右側面３に幾つかの取付１を追加して設ける方法もある。例えば、図２-ａの取付部１の間にさらに同じ取付部１を２つ設けると図２―ｃになるが、この取付部１の間は隙間がないので強固な反面、汚れがたまりやすい。そこで取付部１をより細くしたり、その間隔を広げたりする方法もある。図２-ｄがその実施例で、図２−ａの取付部１をさらに細くした形状または紐状の取付部１を５本縫い込んだり、縫い付けたり接着剤などで接着させて取り付けた図である。取付部１の数と長さ・間隔・位置等は限定されないので図以外でもよいが、履物内部で特徴を同じくする取付部の場合は本発明に含まれる。この取付部を設けたインソールも本発明に含まれる。以上のように取付部を数本に分けて設けることでより強固な取付部となる。
【００１４】
以下に本明細書や本図面の全ての記載例に適応でき、本発明となる点を述べる。
1点目は取付部や靴紐にその他様々な履物部品・履物関連製品等を固定できる点である。履物部品・履物関連製品等の定義は後述しているが、それらの多くが取り外し自在であるため大変便利である。２点目は取付部１や靴紐４に様々な切り込みや穴や、ホックやフック、前カン等のひっかかり部や留め具や面ファスナーなどの取付具を利用したり、それ自体を取付部とするために、切り込みや穴を入れたり、ホックやフック、前カン等のひっかかり部や留め具や面ファスナーなどの取付具を取り付けることもある点である。３点目は既術しているが、筒状やリング状の取付部を利用できる点である。例えば、図１や図２の取付部１を図２８−ｂの取付部１のような筒状のものに変更してその一面を履物本体に固定するとより強固な取付部となる。４点目は取付部を飾りや製品ロゴ、製品説明、会社のロゴ等の表示部分と兼用すると、便利でしかも取付部として目立ちにくく、その際の取付部はそれらにあわせて様々な形状やデザインや大きさとなる点である。5点目は取付部や靴紐を、履物本体と同色にしたり透明にすると目立たず使用できる点である。6点面は取付部や靴紐をゴム製などの伸縮性のある素材にすると便利になることがある点である。7点目は図１の取付部１は４つ全てをつけるのが基本であるが、内部底面２の左右両端部付近あるいは底面２と側面３の左右境界部付近の２カ所のみ、または内部両側面３の最上部２カ所のみにつけるなど、本明細書中や本図面中に記載の場所の一部のみを利用する方法もあるという点である。また8点目として取付部の位置は靴内部であれば特に限定されず本発明に含まれるという点である。例えば履物のヒールの高さ等の状況により、図６のように外側の取付部をよりかかと側にずらしたり、反対に内側の取付部をかかと側にずらすこともでき、斜めにつけたりクロスして付けたり、垂直につけたり自由につけられる。そのため図１の取付部１は長手方向の中央部分以外でもよく、例えば足指付近やかかと付近でも利用できる。9点目としてまた本明細書や本図面に記載の取付部がインソールにつけられる場合は、その取付部をつけたインソールも本発明に含まれる。
【００１５】
図２-ｇは図２−ｂの取付部１の片方を縫い付けるなどして固定し、他方と履物内部側面３の相対する位置にはホックやフック、前カン等のひっかかり部や留め具、面ファスナーを取り付けて開閉自在な状態にして利用するタイプである。開閉自在の部分はスカートやズボンの留め部分のような構造となるため、図のような輪状・リング状のシューズバンド等がそのまま利用できて便利である。また取付部やシューズバンド等はゴム製等の伸縮素材であれば尚使いやすい。因みに輪状・リング状のシューズバンド等は図１や図２０−ａであれば取り付けにくいが、この図２-ｇや図２０−ｂや図２０−ｃの取付部なら開口部があるために取り付けやすい。
【００１６】
図１の取付部１を足指近くに設けてリボンを通し結んだ実施例が図７−ａである。この場合開口部が狭まるので履物が脱げにくくおしゃれなイメージになる。また図７−ｂは図７−ａの取付部１をさらにもう一組設けて合計８カ所にして同じ位置につけたものである。図７−ｃの筒状の足固定具や防寒具類９や図７−ｄの方形の足固定具や防寒具類９をつけると便利である。図７−ｃは８カ所のホックやフック、面ファスナー部、前カン等の留め具・ひっかかり部８などの取付具をつけており、図７−ｄは４カ所のホックやフック、前カン等の留め具・ひっかかり部８などの取付具をつけた方形の足固定具や防寒具９であるが、それらのホックやフック、面ファスナー部、前カン等の留め具・ひっかかり部の数や場所等は特に限定されず、その他の実施例の取付部にも取り付けられる。靴や履物に足固定具や防寒具類９を取り付けると、足を安定して固定できる上、足を覆うので防寒もできる。また防寒具類がゴムなどの伸縮素材であると便利である。その他、通常の靴紐やスカーフ、ハンカチ、靴のフードや靴の一部分、その他の布類・皮類をとりつけることもある。図１から図７の取付部１のあるインソールも本発明に含まれる。
【００１７】
図８−ａは履物内部側面上部に８個の取付部１を設けた平面図である。取付部１は長手方向の足指近くに左右４カ所、長手方向の中央部に左右２カ所、かかと前部に左右２カ所の合計８カ所設けている。取付部の数は限定せず４カ所・６カ所でもよいし、１０ヶ所以上も可能で最大では開口部内側面全周囲に連続してつけることもできる。使用する靴紐は特に限定されないが、通常のタイプ以外では、両端にホックやフック、面ファスナー部、前カン等の留め具・ひっかかり部を設けたタイプが使いやすく、例えばホックをつけた図８−ｂのタイプのものがよい。足固定具や防寒具としては図７−ｃ・図７−ｄのタイプのものも便利である。図８−ａでは靴紐をクロスして設けているが、クロスの方法は図８−ａ以外、様々な方法がある。図８−ｃは履物前部の内部側面最上部の２箇所と最後尾部の内部側面最上部の２カ所に取付部１を設けた図で、図８―ｄは履物前部の内部側面最上部の１カ所と最後尾部の内部側面最上部の１カ所に取付部１を設けた図である。どちらも最上部にとらわれず他の側面でもよい。図８−ｃの前部と図８―ｄの後部の組み合わせの取付部や、図８−ｄの前部と図８―ｃの後部の組み合わせの取付部でもよい。図８−ｃの履物前部の内部側面最上部の２箇所の取付部をかかと前部の履物内部側面上部に変更して取り付け、かかと最後尾部の２カ所の取付部と一緒に合計４つの取付部を設けた場合も本発明に含まれる。
使用する靴紐は特に限定されないが、通常のタイプ以外では、図８−ｂのタイプのもの、足固定具や防寒具としては図７−ｃ・図７−ｄのタイプのものを利用しても便利である。
靴紐４や取付部１に様々な穴や切り込み、ホックやフック、前カン等のひっかかり部や留め具、面ファスナーをつけて利用でき、取付部１の位置に取付部としてそれらを取り付けることもある。取付部１にはその他様々な履物部品・履物関連製品等が取り付けられる。また筒型の取付部を利用してもよい。４つある取付部１のいずれか少なくとも１つを利用する方法もある。取付部１のあるインソールも本発明に含まれる。
【００１８】
図９−ａではハンカチやスカーフ、風呂敷等の幅広い布・皮等や図７−ｃ・図７−ｄのタイプの足固定具や防寒具類を内部側面上部4カ所の取付部１に差し入れている。取付部１から出ている部分は玉結びにしたり、互いに結んだり取付部に結んだり、ゴムや紐等で結ぶなど、様々な固定方法がある。デザインも面白く、履物がぬげにくくなり、足を覆う部分が広いため寒さよけ等にもなる。図９−ｂは、図９−ａの取付部１からそれぞれ下に下がった底面２の左右両端部付近か内部側面３と底面２の左右両境界部付近に４つの取付部１を設けた図である。この取付部１に上記と同様の布状のものを敷いてから結んで履く方法と、履いてから布状のものを固定する方法がある。図９−ａの取付部１と図９−ｂの取付部１を両方設けた場合はさらに様々な履き方ができ安定感も得られる。取付部１にはその他様々な履物部品・履物関連製品等が取り付けられる。図９−ｂの取付部１のあるインソールも本発明に含まれる。靴紐４にも取付部１にも様々なホックやフック、前カン等のひっかかり部や留め具、面ファスナーをつけて利用でき、取付部１の位置に取付部としてそれらを取り付けることもある。実施例としてはこのうちの少なくともいずれかの一つの取付部を利用する。
【００１９】
図９−ｃは図９−ａの側面上部４カ所の取付部１に取り付け式ブーツ上部や防寒具９を固定した実施例である。短靴タイプの履物でもこの方法を利用すると長いブーツに変身し、天気に応じて利用できる。この取付部や取り付け式ブーツや防寒具にはフックやホック、面ファスナー、前カン等の引っかかり部を設けると便利である。図９−ｄは長手方向の足指付近、中央部、かかと前部、短手方向ではそれぞれ底面２の端部に、合計６カ所の図１の同じ取付部を設けて靴紐４を取り付けた図で、底面２との間の隙間に足を入れて固定できる。取付部１を図２-ｇ、図２０、図２８などの他の取付部に変えたり、靴紐を図８−ｂの靴紐を利用すると便利である。特に図２８−ｃや図２８−eの取付部を大きくして設けると、親指や小指を固定できる場合があり、足を固定できる可能性がある。足指に図９全てに言えるが、靴紐や取付部にも、穴や切り込み、様々なホックやフック、前カン等のひっかかり部や留め具、面ファスナーをつけて利用でき、取付部の位置に取付部としてそれらを取り付けることもある。実施例としてはこのうちの少なくともいずれかの一つの取付部を利用する。取付部１にはその他様々な履物部品・履物関連製品等が取り付けられる。図９−ｄの取付部のあるインソールも本発明に含まれる。特に図２８−ｃや図２８−eの取付部を大きくして設けると、
【００２０】
図１０は履物側面３の上部に３つの取付部１を設けた実施例である。足の外側に２つ、内側に１つの取付部１をつけている。この例では取付部１や靴紐４に穴や切り込み、フックやホック、前カン等の留め具やひっかかり部分、面ファスナー等をつけて固定する方法や通常のリボンや靴紐を結ぶ方法があるが、取付部の位置に取付部としてフックやホック、前カン等の留め具やひっかかり部分、面ファスナー等を取り付けることもある。実施例としてはこのうちの少なくともいずれかの一つの取付部を利用する。取付部１にはその他様々な履物部品・履物関連製品等が取り付けられる。図１０の取付部１のあるインソールも本発明に含まれる。靴紐４は図のように前外側、内側、後外側の順に通している。
【００２１】
図１１は図１の履物内部側面３の最上部の取付部１の代わりに、横長の切り込みの取付部１を設けた実施例である。図では切り込みは外部まで貫通しているが、外部に貫通せずに内部のみの切り込みでも利用できる。その場合は切り込みは２カ所必要になる場合がある。切り込みの取付部１は、特に履物内部であれば場所は限定されないが、この図であれば履物のヒールの高さ等の条件によりかかと寄りや足指寄りに設けるケースや、側面３の最上部の取付部１と側面底部２の取付部１の位置をずらして取り付けることもある。靴紐４の先端にホックやフック、前カン、面ファスナー等の留め具やひっかかり部を設けて切り込みや下側の取付部１にひっかけて固定する方法もある。取付部１にも切り込みや穴、様々なホックやフック、前カン等のひっかかり部や留め具、面ファスナーをつけて利用できる。また足５を入れた後に切り込み部分のみに靴紐４を通して結ぶ方法もある。取付部１にはその他様々な履物部品・履物関連製品等が取り付けられる。側面を有し、この取付部１のあるインソールも本発明に含まれる。
【００２２】
さらにこの図では図１と違い、長い靴紐４を手繰った状態を示している。これは本発明全般に適用できるが、長い靴紐４を手繰ることで歩行を助け足のリハビリや幼児の歩行練習に役立つ。場合により長い靴紐４を膝部や腰部に固定する方法もあり、腰部の場合はベルトに固定する方法もある。
【００２３】
図１２−ａは履物内部のかかと後部に、左右に開口部のある取付部１を履物内部本体に取り付けて靴紐４とアンクルストラップ１２を通した実施例である。図２８−ｂのように左右に開口部のある筒状の取付部１や図１や図２の取付部１をつけたり、またそれらを組み合わせて複数つけてもよい。また図２８−ａのように上下方向に開口部のある取付部を設ける方法もある。この方法なら輪状・リング状の靴紐を利用すると図１２−ｃのように取付部１にリング・輪状の靴紐４を通し上下に出てきたそれぞれの輪の部分に足５を通すと、簡単に二重の輪に足を固定できる。また取付部１に輪状・リング状の靴紐を一つの輪が出るように固定しその輪に足をいれて固定する方法もある。
これまでの外付けのアンクルストラップ１２では足首のみを固定するため履物はぬげやすかったが、内付けの本発明であればぬげにくくなる。さらにヒールの高さ等により取付部１を内部側面３の上部に設けると足首寄りで固定でき、側面３の下部に設けると足の甲近くで固定できる。また取付部１や靴紐４は可能なら収縮素材であるとさらに便利である。
【００２４】
図１２−ｂは図１２−ａの取付部１を長く・大きくしてかかと底部からかかと後部のアキレス腱近くまでが覆われるようなサイズとした。取付部１と靴底部２との必須固定部は取付部１の最上部と側面３と底面２の境界部付近、取付部１の最前部だが、固定部以外の隙間に左右方向に靴紐を通す。
取付部１の形はこだわらず、楕円形・長方形・円形・正方形でもよい。図２-ｂ、図２-ｃ、図２-ｄ、図２-ｅ、図２-ｆ、図２７、図２８−ｃ、図２８−ｄの取付部も利用できる。
以下図１２にあてはまることを述べる。靴紐４や取付部１にも穴や切り込み等、様々なホックやフック、前カン等のひっかかり部や留め具、面ファスナーをつけて利用でき、取付部１の位置に取付部としてそれらを取り付けることもある。実施例としてはこのうちの少なくともいずれかの一つの取付部を利用する。側面を有しこの取付部１のあるインソールも本発明に含まれる。取付部１がかかと部にあたるため、素材により緩衝効果・クッション効果が期待でき、さらに履物が大きい場合は、取付部１にサイズ調整用のパットも固定できる。小さなパット類は従来なら取り付けにくかったが本発明全般では取り付け可能となる。取付部１にはその他様々な履物部品・履物関連製品等が取り付けられる。
【００２５】
図１２−ｃは、図２８−ａの取付部の利用方法の図である。既術のように取付部１にリング・輪状の靴紐４を通し上下に出てきたそれぞれの輪の部分に足５を通すと、簡単に二重の輪に足を固定できる。また取付部１に輪状・リング状の靴紐を一つの輪が出るように固定しその輪に足をいれて固定する方法もある。
【００２６】
図１３は図１２−aと同部分に切り込みや穴を二カ所設けた取付部１を示し、靴紐４やアンクルストラップ１２を差し込んでいる。図１２−ａも同様であるが、通常の靴紐とアンクルストラップのどちらかを使用するが、両方使用することもある。切り込み１は外部まで貫通している場合や、内部のみで貫通している場合がある。図１２−ａと同様に内部側面３の上部に取付部１を設けると足首近くで固定でき、側面２の下部に設けると足の甲近くで固定できる。切り込みは縦方向が望ましいが特定されず、穴でもよい。全体にいえるが、切り込みや穴の取付部１は他の取付部に比べ目立たないメリットがある。取付部１にはその他様々な履物部品・履物関連製品等が取り付けられる。また靴紐４にも穴や切り込み等、様々なホックやフック、前カン等のひっかかり部や留め具、面ファスナーをつけて利用できる。側面を有しこの取付部１のあるインソールも本発明に含まれる。またこの切り込みの位置に図３２の紐状の取付部を取り付けることもあり、その取付部が長い場合は靴紐としても利用できる場合がある。
【００２７】
図１４は履物内部底面２の中央部やかかと部分に左右に開口部のある取付部１を設けた２実施例で、２例は別々に利用することもある。特にかかと部の取付部の位置は製品のロゴやタグが貼られている場合が多いため、それらと兼用した取付部とすると違和感がなく利用しやすい。その際には大きさや形状やで在院は製品ロゴやタグに合わせる場合がある。また図１４の取付部には筒状の取付部を利用してもよい。また取付部１の表面とそれに接着する靴紐４の両面に面ファスナーを利用してもよい。その際は面ファスナー自体はクッション効果も期待できる。面ファスナー部分には普段は蓋用の面ファスナーを重ねておくと便利で図２３の利用方法が参考となる。大きめの取付部はクッション材や緩衝材の素材にしたり、それらの素材を取付部１と靴本体底面２との間に挟む方法もある。底面部２の取付部１のみで固定する方法が不安定な場合は、本明細書や本図面中の履物内部の側面部や側面部と底面部の境界部付近に設けられた取り付け部、例えば図１や図２、図１１、図１５、図２０、図２３−ａ、図２３−ｃの取付部と、一緒につけるとよい。取付部１にはその他様々な履物部品・履物関連製品等が取り付けられる。このうちのいずれかの取付部１を利用した場合、本発明に含める。靴紐４や取付部１にも穴や切り込み等、様々なホックやフック、前カン等のひっかかり部や留め具、面ファスナーをつけて利用でき、取付部１の位置に取付部としてそれらを取り付けることもある。この取付部１のあるインソールも本発明に含まれる。
【００２８】
図１５―ａは履物内部側面３の上部の全周囲と内部底面２と側面３の境界部付近や底面２の端部の全周囲にテープ状・紐状の取付部１を、履物本体に間隔をあけて取り付けた実施例である。使用方法は取付部１の本体に取り付けていない隙間部分に靴紐４や足固定具を通して利用する。そのため好きな場所に靴紐４や履物部品や履物関連製品を結べる。この実施例の取付部１なら足に違和感が少なく、履物自体がおしゃれなデザインとなる。履物本体に取り付ける部分が多いため強固な取付部となる。参考例として足指部分中央にハート型のアクセサリーをつけている。取付部１にはその他様々な履物部品・履物関連製品等が取り付けられる。この取付部１は内部に設けているため点線で示しているが取付部を開口部先端近くに設ける方法もある。円周のように全周囲に設けるのが基本であるがその一部分に設け取付部としてもよい。履物内部側面３の上部と底面２の端部付近あるいは側面３と底面２の境界部の取付部のうちいすれか一つに設ける方法もある。図１６−ｃの位置にこの取付部を設けることもある。この取付部１のあるインソールも本発明に含まれる。
【００２９】
図１５−ｂは図１５―ａの内部左側面部を右側からみた拡大斜視図である。取付部１を全周囲でなくその一部分のみつける方法もある。図１５−ｃは側面にやや太めのテープ状の取付部１を設けた実施例である。この場合も全周囲に設ける方法と一部分に設ける方法がある。取付部１にはその他様々な履物部品・履物関連製品等が取り付けられる。上記の取付部１を設けたインソールも本発明に含まれる。
【００３０】
図１６−ａは、履物内部底面２と履物内部側面３の間に垂直に設けた長方形や紐状の取付具１を円形や楕円形の一連の取付部１にし靴紐４を通した図である。取付部１は底面２の端部付近に設けてもよい。斬新なデザインで目立ち、取付部と認識されにくく自由に使用できる。図は全周囲に設けているがそのうちの一部だけ設けてもよい。例えば図１の内側の取付部１の位置や、それよりかかと近くの履物内部底面２と左右両側面３の境界部付近あるいは底面２の端部付近、履物内部の最後尾の履物内部底面２と左右両側面３の境界部付近あるいは底面２の端部付近に部分的に設けるなど、半円周や円周の一部分のみに設けてもよい。また取付部１の間隔もより密にしたり反対にまばらにする方法もある。取付部１は長方形や紐状もものの端を固定させるだけでなく、リング状や筒状のものをとりつけてもよい。また取付部を本体深くに縫い付けて設けてもよい。取付部１にはその他様々な履物部品・履物関連製品等が取り付けられる。上記の取付部１を設けたインソールも本発明に含まれる。
【００３１】
図１６−ｂは図１6−ａの取付部１を左側面部に設けた取付部１に靴紐４を通した拡大斜視図である。長方形や紐状もものの端を固定させるだけでなく、取付部１はリング状や筒状のものをとりつけてもよい。また取付部を本体深くに縫い付けて設けてもよい。取り付ける場所としては図１6−ａと同じ場所もありえる。さらに図１６−ｂの取付部１を口部先端に設けたり、底面端部だけに設ける方法もある。
【００３２】
図１６−ｃは、図１6−ａをかかと部に縮小して円形に設けた取付部１である。取付部１は長方形や紐状もものの端を固定させるだけでなく、リング状や筒状のものをとりつけてもよい。また取付部を本体深くに縫い付けて設けてもよい。形は円周にせずに円形や長方形、正方形、星型、六角形や八角形などの多角形でもよく、そしてそれらの部分の一部分、例えば半円周等にしてつける方法もある。さらに一本一本を長くして放射線状にしてもよい。図１６の取付部１は間隔も密にしたり、反対にまばらにする方法もある。これらの取付部については内部底面部のほかの位置にもつけることができる。取付部１にはその他様々な履物部品・履物関連製品等が取り付けられる。上記の取付部１を設けたインソールも本発明に含まれる。
【００３３】
図１７は履物の長手方向中央部の短手方向に横１本の取付部１を、履物内部底面２の両端部か内部側面３と底面２の境界部付近や、側面３の上部を必須固定部としながら設け、固定していない隙間に靴紐４を通したり巻きつけた取付部１である。取付部は側面には付けず底面部のみに付けるタイプでもよく、側面にはつけずに側面のみに取り付けるタイプでもよい。底面に取付部のある設けるタイプであれば、取付部と本体の間の隙間の広さによっては足が入ったり固定できる場合がある。また取付部としては筒状やリング状のものを設けてもよい。その場合、横手方向の輪の場合はその輪の間に足が入ったり固定できる場合がある。リング状・輪状の靴紐や足固定具を図１２−cのようにつけて利用してもよい。またこの取付部を長手方向の位置をかかと寄りや足指寄りにする方法もあり、場合によってはそれらを長手方向に複数つける方法もある。取付部１や靴紐４はゴム等の伸縮素材であると便利である。図１８−aは図１７の取付部１の一例で、取付部１に穴や切り込み等を設けている。その切り込みや横方向のものでも十字でもよい。また取付部や靴紐に穴や切り込み等、ホックやフック、前カン等のひっかかり部や面ファスナー、留め具を設ける方法もある。図１８−ｂは図１７の取付部１の一例でここでは3本の長い紐が一つの取付部１となっている。紐の数は限定されず2本でも3本以上でもよい。履物本体との固定部とは図１７と同じである。取付部がひも状のものを束ねていることで、その1本1本の間にも履物部品・履物関連製品等が取り付けられ、また強度も増す。図１８−aの取付部は本発明のその他の取付部にも適用できる。図１８の取付部１にはその他様々な履物部品・履物関連製品等が取り付けられる。上記の取付部１を設けたインソールも本発明に含まれる。靴紐４にも取付部１にも穴や切り込み等、様々なホックやフック、前カン等のひっかかり部や留め具、面ファスナーをつけて利用でき、取付部１の位置に取付部としてそれらを取り付けることもある。
【００３４】
図１９−ａは履物底面２の中央部の長手方向に設けた取付部１である。取付部１と履物本体底面２は取付部１の両端を含めて６カ所で固定するようになっている。図では両端とその他実線で記載している４カ所である。そのため取り付けていない部分は横方向に図のように靴紐が通せる上、その他様々な履物部品・履物関連製品等が取り付けられる。取付部の長さや本体との固定場所の数は限定されない。さらに不安定な場合は側面部や側面部付近に設けられた図２、図１５、図２０やその他実施例の取付部１も一緒に使用するとよい。上記取付部１を設けたインソールも本発明に含まれる。取付部や靴紐に穴や切り込み、ホックやフック、前カン等のひっかかり部や面ファスナー、留め具を設ける方法もある。
【００３５】
図１９−ｂは図１９−ａの取付部とほぼ同じ位置に、すなわち履物底面２の長手方向に、３本の紐状取付部１を設けた例である。ここでは紐状で縫い込んでいるが、長方形状の取付部１をそれぞれ取り付けてもよい。この図ではそれぞれ５カ所を底面部２に縫い付けているため破線のように見えるが、それが３本存在する。縫い付けていない部分の隙間に靴紐４を通して使用するので、好きな位置に靴紐４を通すことができる。取付部１の位置や長さ・大きさ、紐の長さや数や太さ、底面と固定する場所の数等は特に限定されないが、図のように家から見て靴の開口部全体に現れるようなデザインになれば美しく利用しやすい。縫い付ける間隔は靴紐４の太さより少し長めが望ましい。その他取付部１には様々な履物部品・履物関連製品等が取り付けられる。上記の取付部１を設けたインソールも本発明に含まれる。取付部１や靴紐４に穴や切り込み等、ホックやフック、前カン等のひっかかり部や面ファスナー、留め具を設ける方法もあり、それらを取付部の位置に設けることもある。
【００３６】
図２０−ａは図１の取付部の位置、すなわち履物内部の側面３の最上部と側面３と底面２の境界部付近あるいは底部両端部付近にリング状の取付部１を設け、靴紐類４を通して右方向から見た拡大斜視図である。図２０−ｂは図２０−ａのリング状の取付部１の一部分に隙間を設けて靴紐が通せるようにしたものである。ゼムクリップのような形の取付部でもよい。これにより靴紐の一部に例えば面ファスナー等がついていて厚みがある靴紐類や、輪状・リング状になっている靴紐類でも取付部１に通すことができる。図２０の取付部の形状は前述のゼムクリップのような形状や、長方形や楕円形などで一部分に隙間もあるものが便利であるが限定されない。または図２０−ｃのようにほとんど厚みのない線状の取付部ならかさばった靴紐は入らないが、足に当たった際の違和感が少なくてよい。場合により安全ピンのような形状でリング状取付部１も取り外しできれば便利である。図２０−ｄは図２０−ａの取付部の一部をあけたタイプで、図２０−ａと同位置につけるとよいが、内側のみ、外側のみにつけてもよい。シンプルで細いので違和感が少なく、靴紐も簡単に固定できる。さらに同じ取付部をあいている方向を逆にしてつける方法や、２つの取付部を開いている方向を逆にして一つの取付部として一緒に取り付けて利用する方法もある。
図２０の取付部１の素材等は特にこだわらないが、金属類や硬めのリボン類や紐類や繊維類、ゴム類、ビニール類、強化プラスティック等などの高強度のものがよい。その形状は履いた際に違和感のないように、細く平たい形状がよい。図２０の取付部１のあるインソールも本発明に含む。図２０の取付部の取付場所は履物内部であれば特にこだわらないが、本明細書や本図面の他の実施例の取付部１の位置や、特に図１、２、６、７、８，９，１０やその本文中で示した場所、その他の内部側面３や底面２の端部、内部の底面２と側面３の境界部が便利である。また図２０の取付部には様々な履物部品・履物関連製品等が取り付けられる。図２０の取付部１は、図面のように一部を靴本体にくぐらせたり、両端部を縫い付けたりして固定する方法がある。図２０の取付部のあるインソールも本発明に含まれる。図２０の取付部は履物内部につけられるが、例えば図１、図２-ｂ、図２-ｃ、図２-ｄ、６、７−ａ、７−ｂ、８−ａ、図８−c、図８−d、９−ａ、９−ｂ、９−ｃ、９−ｄ、１０、１３、１６、１９，２７の位置につけても便利である。
【００３７】
図２１−ａはフックやホック、前カン類のひっかかり部分や留め具８を靴紐４の先端部に設け、履物内部側面３の穴や切り込みに入れ固定した靴内部左部分の拡大斜視図である。履物側面部に取り付けられるが、特に側面上部が最適である。右も左右対称に取り付けられる。手軽に靴紐４を差し込めるメリットがあるが安定性には欠ける。図２１−ｂの靴紐は前記と同じタイプであるが、履物内部側面３や底面２の側面部付近にポケットや袋状の取付部１を設けた靴内部左部分の拡大斜視図である。２つの取付部１は、両方でもどちらか一つだけでも取り付けてもよい。右も左右対称に取り付けられる。ポケットや袋状の取付部１には緩衝材等も入れられる。取り付ける場所によっては、取付部１と靴紐４の位置が前後や左右が反対になる場合もある。取付部１や靴紐４にはさらに穴や切り込み等、ホックやフック、前カン等のひっかかり部や面ファスナー、留め具を設ける方法もある。取付部１には様々な履物部品・履物関連製品等が取り付けられる。上記の取付部１を設けたインソールも本発明に含まれる。
【００３８】
図２２では図１の取付部１がさらに底面部方向、言い換えれば短手方向に連続して続いている状態である。それにより取付部が多くなるので靴紐を通した際にかかる力が分散される。連続しているのでデザイン的にも美しいが、その中の一部分を取り付ける方法でもよく、取り付け数や形状や大きさ等や限定されない。取り付け場所も長手方向の中央部すなわち図１の場所やさらにかかと寄りの位置、足指寄りの位置でもよいが、本明細書や本図面の実施例記載の他の位置等、履物内部であればよい。取付部１はリング状や筒状でその一部分を取り付けていてもよく、長方形の取付部を縫い付けていてもよい。取付部１や靴紐４にさらに穴や切り込み等、ホックやフック、前カン等のひっかかり部や面ファスナー、留め具をつけることもあり、それらを取付部として設けることもある。取付部１には様々な履物部品・履物関連製品等が取り付けられる。上記の取付部１を設けたインソールも本発明に含まれる。
【００３９】
図２３−ａはかかと中央部に面ファスナーをつけた取付部１を設け同じく靴紐４の中央部に面ファスナーをつけて重ねて固定した実施例である。図２３−ｂは使用する面ファスナーの図である。この面ファスナー部分のみでも利用できるが、図２０のような色々なリング型の取付部等を履物底面部２や内部側面部３や両方の境界部に設けて同時に使用している。図１、２、１３、１５、１９、２０，２６、２７，２８の取付部を利用してもよい。
特に靴紐４に厚みがある場合は図２０−ｂや図２−ｇの取付部１が便利である。また取付部１の裏面と履物底面２との間に隙間を設け、その隙間に普通の靴紐が通す方法もあり、その場合面ファスナーのついた靴紐と一緒に結ぶこともできる。面ファスナーはかかとの衝撃を和らげる緩衝材としても利用でき、靴紐をつけない時はその部分にふた用面ファスナーでカバーするとよい。ふた用の面ファスナーを利用しない場合は足に違和感のないソフトな面ファスナーのみを利用する方法がある。図２３−ｃでは図２３−ｂの中央の取付部１の面ファスナー横に、さらに靴紐を固定するために、図１の側面部の取付部１や筒状の縦長の取付部、前述したような図２０の取付部１を取り付けてもよい。その場合、中央の取付部１の面ファスナー部分に靴紐側の面ファスナー部分をあてがった後、靴紐の左右を外側の取付部１に通して利用すると、面ファスナーと外側取付部の３カ所で靴紐が強固に固定できて安定する。取付部には様々な履物部品・履物関連製品等が取り付けられる。この取付部と靴紐の面ファスナーの利用方法は、本明細書や本図面の他の取付部でも利用でき本発明に含まれるが、図２-ｂ、図１２−ａ、図１２−ｂ、図１４、図１５、図１７、図１９−ａ、図２５、図２６の取付部やその位置なら尚よい。取付部１や靴紐４にはさらに穴や切り込み等、ホックやフック、前カン等のひっかかり部や面ファスナー、留め具をつけることもでき、取付部としてそれらを利用することもある。上記の取付部１を設けたインソールも本発明に含まれる。
【００４０】
本発明に記載された履物内部の取付部をもつインソールも本発明に含まれるが、念のためインソール単独の実施例も記載しておく。図２４は長手方向中央部とかかと部に、それぞれ底面両端部や底面中央部に取付部１を設けたインソールの一例である。そのうち底面両端部に位置する取付部は図１の内側の取付部と同じ長方形で、底面中央部に位置する取付部は図１４の取付部と同じ正方形に近い形である。それらの取付部にも筒状のものを利用することができる。このうちいずれか一つを設けた状態でもよく、当発明に含まれる。取付部１にはその他様々な履物部品・履物関連製品等が取り付けられる。取付部１や靴紐４に穴や切り込み等、それらの取付部にも筒状のものを利用することができる。ホックやフック、前カン等のひっかかり部や面ファスナー、留め具を設ける方法もある。
【００４１】
図２５は長手方向中央部とかかと部に、それぞれ側面部を設けたインソールである。長手方向中央部の側面部３には図１と同じ取付部１を図１と同じ位置に設け、さらに中央部にも方形の取付部１を設けている。かかと部側面３には図１２−ａと同じ形態の方形の取付部１を設けている。それらの取付部にも筒状のものを利用することができる。そして短手方向にそれぞれ靴紐４を通している。このうちいずれか少なくとも一つの取付部１を設けたもの、側面部３とかかと部のいずれか一つを設けたインソールが本発明に含まれる。上記や本明細書や本図面の実施例で示したインソールを使用した履物も本発明に含む。取付部１にはその他様々な履物部品・履物関連製品等が取り付けられる。取付部１や靴紐４に穴や切り込み等、ホックやフック、前カン等のひっかかり部や面ファスナー、留め具を設ける方法もある。
【００４２】
図２６はインソールの上に楕円形の取付部１を設けて靴紐４を通した実施例である。底面との取り付け方は特に限定しないが、楕円形の取付部１の上下両端とその間の数箇所を短手方向にインソールに縫い付けるなどして固定し、縫い付けていない隙間に靴紐４を通して利用すると便利である。上から見ると普通のインソールにしか見えないメリットがある。取付部１にはその他様々な履物部品・履物関連製品等が取り付けられる。取付部１や靴紐４に穴や切り込み等、ホックやフック、前カン等のひっかかり部や面ファスナー、留め具を設ける方法もある。このインソールを利用した履物も本発明に含まれる。
【００４３】
図２７は履物長手中央の底面部２に４つの縦長の紐状の取付部１を設けた図である。数は４本以外でもよく、底面２の足指寄りやかかと寄り、かかと部でもよく、内部側面３に同様の縦長の取付部を設けても便利で、その場合は垂直方向に設けてもよい。長さも図は好適例だが限定されず、靴紐の長さに関連する場合もあり、これより短くても長くてもよい。またこの位置以外でも靴内部であれば本発明に含まれる。図２７の実施例の取付部１は数本あるので負荷がかかりにくく安定する。紐状なので靴本体に縫い込んで固定する方法があるが長方形の取付部や筒状のものをそれぞれ固定する方法もある。取付部１にはその他様々な履物部品・履物関連製品等が取り付けられる。この取付部を有したインソールも本発明に含まれる。取付部１や靴紐４に穴や切り込み等、ホックやフック、前カン等のひっかかり部や面ファスナー、留め具を設ける方法もある。
【００４４】
図２８−ａと図２８−ｂは筒状の取付部１でどちらも同じ構造であるが、方向が違うためあえてわかりやすいように別々に示している。これまでも述べたように筒状の取付部は場所は限定せず、明細書や図面等で記載した様々な位置に取り付けられ、複数取り付ける場合もある。取り付け方の一例としては、図２８−ｂであると、図１、図２−ａ〜ｄ、図６、図７−ａ、図７−ｂ、図８−ａ、図８−ｃ、図８−ｄ、図９、図１０、図１２、図１３、図１４、図１６、図１７、図１９、図２２、図２３、図２４、図２７、図２９の場所で利用できる。そして靴紐はそれらの図の位置と同じく履物の短手方向に通る場合が多い。図２８−ａは図８―ｃ、図８―ｄ、図１２―ａ、図１２―ｂ、、図１４、図１６、図１７、図１９、図２２、図２３、図２４、図２７、図２９の場所で利用できる。筒の穴の向きに関係なくつけてもよい。図２８−ｂと違い、靴紐は履物の長手方向に通ることになる。左右の2カ所に取付部を設けた場合、一本の靴紐を左右のそれぞれの取付部１に通して、後ろの出口から出る靴紐は足の下に敷き、前の方に出る靴紐を結ぶ方法や、前後をその反対の状態で靴紐を通して足を固定する方法がある。取付部１にはその他様々な履物部品・履物関連製品等が取り付けられる。
【００４５】
また、図２８−ａと図２８−ｂも筒状の取付部をこの方向のまま重ねて固定して一つの取付部として利用すると、左右上下に靴紐等を入れることができて大変便利である。この取付部も本発明の全ての実施例に適用でき、場所は限定されず、複数取り付ける場合もある。特に図２８−ａと図２８−ｂの説明で記載した場所でもよいが、特に図２-ｂ、図２-ｇ、図１２−ａ、図１２−ｂ、図１４、図２１−ｂ、図２３−ａ、図２４、図２５、図２９の取付部に利用しやすい。また図２８−ａと図２８−ｂの一部を挟み込んで固定する位置としては、履物の作業工程にて継ぎ目のできてしまう、履物内部かかと後部側面や内部の側面と底面の境界部がよい。さらに図２８−ｃは図２８−ａの取付部１を履物内部底面２と側面部３の境界部に取付部１の一部を挟み込んで取り付けた実施例である。挟み込まずに底面２や側面３に固定する方法もあり、場所も内部であればどの場所でも取り付けられる。図２８−ｄは図２８−ｂの取付部１を履物内部底面２と側面部３の境界部に取付部１の一部を挟み込んで取り付けた実施例である。図２８―ｄと違い身ごろ部分に作って挟み込むことになる。また挟み込まずに底面２や側面３に固定する方法もあり、場所も内部であればどの場所でも取り付けられる。取付部１にはその他様々な履物部品・履物関連製品等が取り付けられる。上記取付け部を擁したインソールの本発明に含まれる。
【００４６】
また図２８−ｅのように、リング状の輪のような取付部１も同じように取り付けられ、輪の一部分を縫い込んだり接着させて固定してもよい。図２８−ｅについてはリング状の輪をさらに大きくして片側の側面まで届くほどの大きさや足首や膝まで届くくらいの大きさの輪にして、大きな履物部品・履物関連製品等が取り付けられるようにする方法もあり、その場合足も固定できる場合がある。またリング状の取付部を履物内部底面の両端や履物内部側面と底面の境界部の４箇所に方形になるように取付けて固定する方法もある。またリングの端部の２カ所を履物内部底面の両端あるいは履物内部側面と底面の境界部の２カ所に固定する方法もある。この取付部１や靴紐がゴム等の伸縮素材であるとさらに便利である。この取付部の取り付け場所は靴内部であれば特にこだわらないが、図１、図２、図6、図７、図８、図９、図１０、図１１、図１２、図１３、図１４、図１５、図１６、図１７、図１９、図２２、図２３、図２４、図２５、図２７、図２９が望ましい。図以外では履物内部の最前部側面や最後部側面に縫い込むなどして固定し、輪を短手方向に広げて設ける方法もある。その場所のどちらも最上部であれば尚便利である。取付部１にはその他様々な履物部品・履物関連製品等が取り付けられる。
【００４７】
図２９はサンダルやスリッパ、草履、下駄等を含む底面部２が目立つタイプの履物の実施例である。それらに取付部をつけて靴紐等を通すと足と履物をさらに固定できるため、歩きやすくなる。特にスリッパやぞうり、下駄は歩く際には不安定であったので、利用価値は大きい。内容は底面２の長手方向の中央部とかかと部の両端部に図１のような細長い長方形の取付部１を4カ所設け、さらに同じく底面２の長手方向中央部とかかと部の横手方向中央部に図１４のような方形の取付部１を設けている。取付部１は図１のように両端を縫い付けたり、接着剤て付けたり、筒状のものの一部や一面を縫い付けたりして固定している。取付部の形はこだわらないため、円形でも長方形でもその他の形でもよい。これらの取付部１のいずれか一つを取り付けた場合でも本発明に含まれる。それぞれの取付部１にはその他様々な履物部品・履物関連製品等が取り付けられる。図２９ではサンダルやスリッパ、ぞうり、下駄等として特別に取り上げているが、もともとは履物全般にこれらも含まれるため、この実施例はその他の履物の取付部としても本発明に含まれ、反対に本明細書や図面中に履物として記載の実施例もサンダルやスリッパ、草履、下駄等の取付部となり本発明に含まれる。取付部１や靴紐４にはその他様々な履物部品・履物関連製品等が取り付けられる。取付部や靴紐に穴や切り込み等、ホックやフック、前カン等のひっかかり部や面ファスナー、留め具を設ける方法もある。ゴム等の収縮可能な素材のものを利用する方法もある。
【００４８】
図３０はヒール部分、かかと部分が高くなっている履物の実施例である。対象は履物全般でサンダルやスリッパ、草履、ハイヒールなども利用できる。構造は履物のヒールもふくめた底部を形作っている部分の側面の短手方向に楕円形の穴を、反対側まで通した取付部１である。穴の向きは短手方向が利用しやすいが、斜め方向に通したりそれ以外の方向でもかまわない。取付部１の穴に靴紐を通して足の甲や足首の上で結ぶなどして足と履物を固定する。図は側面の３カ所に穴をあけているが、この中のいずれか少なくとも一つをつければよく、またこの図面には特にこだわらず、穴の数や位置も様々で、この側面の他の位置に穴をあける方法もある。穴の形も限定されず円形、方形、三角形や四角形、長方形、六角形などの多角形でもよい。遊び心を生かした星型、ハート型、涙形当であっても面白いが、穴の形は楕円形や平たい長方形であれば靴紐を通しやすく、汚れもたまりにくく、底部分の強度も保持できる。可能なら側面だけでなくヒール部分の側面にも取り付ける方法もある。その場合にはヒール部分の強度を保持しつつ小さな穴を取り付けてよい。また底の薄い紳士靴や婦人靴でもこの取付部を設けると便利である。この取付部１なら靴紐が地面に触れないため汚れにくく清潔で、靴紐の先端を硬くしたり細くすると通しやすくなる。取付部１や靴紐にはその他様々な履物部品・履物関連製品等が取り付けられる。特に足を覆ったり、靴に水が入り込まないようにするための雨対策グッズや防水対策グッズを取り付けると便利である。また以上の取付部を有したインソールであれば、そのインソールも本発明に含まれる。
【００４９】
図３１はインソールの図であるが、取付部１は靴紐状であるが図１８のように穴や切り込みを取付部として入れており、靴紐としても使えがこれ自体は取付部でもある。図では上・中・下と取付部がついているインソールの３実施例を示している。上の取付部１は２本の靴紐状のものをインソールの両端部につけた実施例、中央は一本の靴紐状のものをインソールの前面につけた実施例、下はそれをインソールの裏面につけている別々の実施例である。つける場所は各実施例とも長手方向の場所にはこだわらず、足指近くや中央部分、踵部近くの場合もありその他の場所でもよい。上記インソールを使用した履物も本発明に含んでいる。このインソールは本体と固定する場合は、紐状部分を利用して履物の取付部につけて固定することもできる。靴紐および靴紐内の切り込みや穴には履物部品・履物関連製品等が取り付けられる。取付部や靴紐に穴や切り込み等、ホックやフック、前カン等のひっかかり部や面ファスナー、留め具をつける方法もある。また靴内部底面に同じ構造の取付部・靴紐を設けた場合の靴も本発明に含まれる。取付部をゴム製など収縮可能な素材にする方法もある。
【００５０】
図３２は長手方向中央部の内部側面や内部側面と内部底面の境界部付近、内部底面に紐状あるいは長めの長方形の取付部１を付けた実施例である。この取付部の長さは特に限定されずこれより長くても短くてもよいが、長くすると足を固定することも可能な場合がある。またこの取付部１にはその他の履物部品・履物関連製品等が取り付けられる。またこの取付部には、さらに靴紐や穴や切り込み等、ホックやフック、前カン等のひっかかり部や面ファスナー、留め具をつけることもできる。長手方向でも特に限定はされないが、中央部、足指近く、かかと部が望ましい。またその他本明細書中や本図面中の取付場所にも取り付けられる。この取付部１のあるインソールも本発明に含まれる。取付部をゴム製など収縮可能な素材にする方法もある。
【００５１】
以上の実施形態は好適例だが、本発明の範囲は特に限定する旨の記載がない限りこれらの態様に限られるものでない。図や明細書中の説明が1つの側面のみを記載している場合は、もう反対側の側面も左右対称に取り付けられるものとする。図に履物の片方のみを記載している場合も両方に言及したものとする。図の履物は発明の特徴をとらえるために判りやすい形で示しているが、発明の対象とする履物の形状・素材・大きさ等は図等には限定されず、図以外の形態の履物も含まれる。履物とインソールは一体として捉えられる場合も多いため、履物について言及した本発明の内容はその取付部を有するインソールの発明となり、インソールについて言及した本発明の内容はその取付部を有する履物にも言及したものとする。すなわち本発明部分の履物の記載内容がインソールにも適応され、インソールの記載内容が履物にも適応される。本図面の実施例や明細書中の記載内容等については、その発明の要旨のいずれか一つが含まれた場合も本発明とし、記載取付部の単独利用だけでなくそれらを組み合わせた場合も本発明に含む。また図や明細書の事例のみにとらわれず、同じ形態の取付部を増やしたり・減らした場合も本発明に含む。記載以外の形状・素材の靴紐・取付部であっても本発明の要旨に合致している内容は本発明に含む。取付部の役割も兼用できる靴紐類や靴紐類の役割も兼用できる取付部も本発明にふくみ、それらを履物内部に定着した履物やインソールも本発明に含む。上記や本明細書や本図面の実施例で示したインソールを使用した履物も本発明に含む。
【００５２】
本発明の履物とは側面部または底面部または内部面または外部面等を持つ全ての履物を指し、サンダルやスリッパ、ブーツなども含む。本発明で述べる靴紐とはリボン類、シューズバンド類、シューズベルト類、シューレース類、アンクルストラップや紐類、その他器具類を含む、一般の靴紐に限らないあらゆる形態や素材の、履物や足を固定したり結ぶもの全てを指す。
本発明の履物部品とは履物の一部分を形成する部品や構成物で、履物関連製品等とは、靴紐も含め、足や履物を保護する製品、クッション剤や緩衝材類、防水・降雨対策品、履物脱げ防止品、パッド類、インヒール類、シューズバンド、シューズベルト、アンクルストラップ、足ずれ対策製品、防臭対策製品、足ツボグッズ、足の防寒具、使い捨てカイロ、その他履物のトラブル対策品、インソールを含む各種ソール類や、その他靴を履きやすく、歩きやすくする器具や装置、全ての履物のアクセサリー類など、あらゆる履物に関連・付随した物品・製品を含む。これらの取り外し自在な場合が多いので、便利である。
本発明の履物の取付部とは、紐状、布状、ポケット状、面ファスナー、筒状、リング状、フックやホック、前カン状等の留め具状の、あらゆる形態・素材の取付具であったり、切り込みや穴や各種装置・器具類などを使った、履物部品・履物関連製品等を取り付けるための取付部である。
【００５３】
以下に取付部について、個別の記載がなくても全ての実施例に当てはまる事項を述べる。各図の中やその説明の明細書文中で示した取付部が複数ある場合はその中の一部の取付部を利用した場合でも本発明に含まれる。取付け部の固定方法は、一部を縫い付ける、一部を縫い込む、接着剤で固定する、プレスして固定する、それらを組み合わせて固定する、その他様々な縫製方法や接着方法を利用する。広い表面を本明細書や図面中に履物として記載の実施例もサンダルやスリッパ、草履等の取付部となり本発明に含まれる。全ての取付部には靴紐を含む様々な履物部品・履物関連製品等が固定できる。取付部や靴紐の色は、透明や履物内部と同色にすると目立たずに利用できる。取付部や靴紐の素材をゴム等の伸縮素材にすると、負担のかかる力が分散・発散されてはきやすく安定して使える。取付部によっては足の緩衝材や保温のための製品を装着・挿入すると便利である。取付部として筒状やリング状、輪状のものを利用すると便利な場合がある。製品ロゴ、製品説明タグ、会社のロゴや商標を取付部に記載したり取付部と兼用すれば、取付部が目立ちにくくなる。その場合は取り付け部の形状・大きさ等はロゴ等に合わせた状態となるため様々である。取付部は履物内部の開口部先端やその他多様な場所にもつけられる。本明細書や本図面記載の取付部はスニーカーや靴紐を要した婦人靴、紳士靴等でも利用でき、既設の靴紐はずして履物内部の取付部のみを利用する方法もある。切り込みや穴の取付部は他の取付部の位置にも付けられ本発明に含まれる。靴紐や取付部自体に穴や切り込みを入れたり、様々なホックやフック、前カン等のひっかかり部や留め具、面ファスナー等の取付具等をつけたり設けたりですると、さらに取り付けられる部分が増えて便利である。また取付部の位置に穴や切り込みを入れたり、様々なホックやフック、前カン等のひっかかり部や留め具、面ファスナー等の取付具等を付けたり設けたりでき、本発明に含まれる。靴紐を手に届くくらいの長さにして手繰りながら歩行すると歩きやすくなりリハビリ等に役立ち、高齢者や足腰の弱い人には大変役立つ。さらに長い靴紐を膝や腰の下半身の固定しやすい部位に結びつける方法もある。
【００５４】
さらに個別の記載がなくても全ての実施例に当てはまる事項を続ける。取付部同士の位置関係も、長手方向に並行や別々にずらす、わざとバラバラにする方法があり、場所により斜めにつけたり垂直につける場合、クロスして付ける場合もある。切り込みや穴も様々な場所に付けられるが、切り込みや穴の方向は横方向の他、縦方向や斜め方向の場合もあり、さらにその他の形状の取付部と一緒にミックスして設けてもよい。取付部を足ツボを刺激する目的と兼用してつけることもある。履物内部側面の取付部は最上部が最適であるが、事情によっては側面のほかの場所でもよく、側面になくても利用が可能な場合がある。
そのようにして取付部を設けたり、あるいは取付部の役割もする靴紐類を履物内部に取り付けた履物やインソールも本発明に含む。靴紐類は足の甲部分で交差させたり、結んだりして様々な方法や工夫で楽しめる。靴紐を取付部にかける方法は、全てにかける方法、一部にかける方法など様々で、複数をかける方法もある。また図以外の多様な靴紐を使うこともできる。靴紐の両端については硬い素材にしたり、先端部分を細くすることで取付部に通しやすくなる。靴紐を洋服ベルトの形状にするか面ファスナーにして、長さ等を調節する場合がある。
【００５５】
さらに取付部や靴紐の素材としては、絹や綿、麻、皮、ゴム等、ポリエステル、アクリル、ナイロン、ビニール、金属類、プラスティック、レース、ビーズやスパンコール、宝石等鉱石類等様々で特に限定されない。形状記憶合金などを使用してもよい。
靴紐の形状はベルトやリボンのような平たいもの、紐のような細いもの、太いもの、分厚いもの、網やレース状のもの、ゴム等の伸縮タイプでもよく、特に限定されず様々である。取付部の形状や大きさも、線状、長方形、正方形や円形、多角形、楕円形、星形、菱形、ハート、クローバー、スペード、クラブ、草花等の多様な図形、キャラクター、商標、各種ロゴ、製品タグを利用するなど特に限定されない。
【００５６】
このように履物内部に、履物部品や履物関連製品等を取り付けるための取付部を設けたことを特徴とする履物や、インソール内に履物部品や履物関連製品等を取り付けるための取付部を設けたことを特徴とするインソールや、履物部品や履物関連製品等を取り付けるための取付部を設けたことを特徴とするインソールを装着したことを特徴とする履物を利用することは、大変なメリットがある。サイズが大きくても履くことができ、靴だけでなくサンダルやスリッパ等でも脱げにくくなる。全履物についてこの発明を利用すれば東日本大震災のような災害時の移動の際に、長時間の歩行も楽になり効果は絶大である。靴紐のあるタイプで履物内部の取付部に靴紐を通して、履物内部の風通しをよくして使用する方法もある。履物部品や履物関連製品類を必要時のみ使用し不使用時は取り外せるので大変便利である。例えばパンプスを履く必要のある就活中の女子学生や外回り営業の女性にとっては、シーンにあわせて好きな靴紐やその他履物関連製品をつけはずしできる。また靴紐類や取付部は従来の履物と違い、履物内部にあるので清潔で衛生的である。また履物内部で足と履物が密着するので従来よりも運動機能が高まる可能性があり、運動靴等でもその効果は利用できる。履物内部に取付部を設けることによる違和感については既述しているが、最新の繊維等の開発もさらに進むと思われるので、今まで以上に安心して活用できる。
【００５７】
最近の靴業界ははきやすさを重視し、また靴紐を装着した靴にかなり力をいれているようだが、本発明のメリットを利用して個人個人の足の特性や癖と履物の特性や癖をうまく調整したり、履物自体をカスタマイズして、さらに今後開発される様々な履物関連製品がにも本発明がお役にたてるよう期待したい。
【符号の説明】
【００５８】
１  取付部      
２  履物内部底面
３  履物内部側面
４  足固定具・靴紐
５  足
６  インソール
７  履物外部
８  留め具・面ファスナー部・ひっかかり部
９  布・皮等や防寒具類
１０  サンダル・スリッパ類
１１  アクセサリー
１２  アンクルストラップ
【図１】
0005608941.tif 000002
【図２−ａ】
0005608941.tif 000003
【図２−ｂ】
0005608941.tif 000004
【図２−ｃ】
0005608941.tif 000005
【図２−ｄ】
0005608941.tif 000006
【図２−ｅ】
0005608941.tif 000007
【図２−ｆ】
0005608941.tif 000008
【図２−ｇ】
0005608941.tif 000009
【図３】
0005608941.tif 000010
【図４】
0005608941.tif 000011
【図５】
0005608941.tif 000012
【図６】
0005608941.tif 000013
【図７−ａ】
0005608941.tif 000014
【図７−ｂ】
0005608941.tif 000015
【図７−ｃ】
0005608941.tif 000016
【図７−ｄ】
0005608941.tif 000017
【図８−ａ】
0005608941.tif 000018
【図８−ｂ】
0005608941.tif 000019
【図８−ｃ】
0005608941.tif 000020
【図８−ｄ】
0005608941.tif 000021
【図９−ａ】
0005608941.tif 000022
【図９−ｂ】
0005608941.tif 000023
【図９−ｃ】
0005608941.tif 000024
【図９−ｄ】
0005608941.tif 000025
【図１０】
0005608941.tif 000026
【図１１】
0005608941.tif 000027
【図１２−ａ】
0005608941.tif 000028
【図１２−ｂ】
0005608941.tif 000029
【図１２−ｃ】
0005608941.tif 000030
【図１３】
0005608941.tif 000031
【図１４】
0005608941.tif 000032
【図１５−ａ】
0005608941.tif 000033
【図１５−ｂ】
0005608941.tif 000034
【図１５−ｃ】
0005608941.tif 000035
【図１６−ａ】
0005608941.tif 000036
【図１６−ｂ】
0005608941.tif 000037
【図１６−ｃ】
0005608941.tif 000038
【図１７】
0005608941.tif 000039
【図１８−ａ】
0005608941.tif 000040
【図１８−ｂ】
0005608941.tif 000041
【図１９−ａ】
0005608941.tif 000042
【図１９−ｂ】
0005608941.tif 000043
【図２０−ａ】
0005608941.tif 000044
【図２０−ｂ】
0005608941.tif 000045
【図２０−ｃ】
0005608941.tif 000046
【図２０−ｄ】
0005608941.tif 000047
【図２１−ａ】
0005608941.tif 000048
【図２１−ｂ】
0005608941.tif 000049
【図２２】
0005608941.tif 000050
【図２３−ａ】
0005608941.tif 000051
【図２３−ｂ】
0005608941.tif 000052
【図２３−ｃ】
0005608941.tif 000053
【図２４】
0005608941.tif 000054
【図２５】
0005608941.tif 000055
【図２６】
0005608941.tif 000056
【図２７】
0005608941.tif 000057
【図２８−ａ】
0005608941.tif 000058
【図２８−ｂ】
0005608941.tif 000059
【図２８−ｃ】
0005608941.tif 000060
【図２８−ｄ】
0005608941.tif 000061
【図２８−ｅ】
0005608941.tif 000062
【図２９】
0005608941.tif 000063
【図３０】
0005608941.tif 000064
【図３１】
0005608941.tif 000065
【図３２】
0005608941.tif 000066